(57)【要約】【課題】初心者や個人事業主などでも、容易に軽経費で、ウェブ提供情報やパンフレットやチラシを迅速に作成できるようにする。【解決手段】チラシ・セルフ編集ＡＳＰサーバ装置３１に接続するコンピュータ装置その他の編集用端末への入力操作を行わせ、画像情報及び文字情報のレイアウト編集１０を行う。このレイアウト編集１０は、適宜、チラシやパンフレットに載せられる編集者の販売商品などの元画像情報１１を用いることができる。作成された編集電子情報１３は、ウェブにおいて提供する情報コンテンツとすることができ、更には、印字出力した紙媒体コンテンツ１４として、オフラインの配布や掲示に用いられる。【選択図】図１
2013235455.tif 000002
【特許請求の範囲】
【請求項１】
画像情報及び文字情報のレイアウトにより行うチラシ・コンテンツ編集方法において、
インターネットを介在させて、チラシ・セルフ編集ＡＳＰサーバ装置に接続するコンピュータ装置への入力操作を行わせ、画像情報及び文字情報のレイアウト編集を行い、
該レイアウト編集の後、電子的な閲覧提供先に応じたデータ変換処理、及び閲覧提供登録処理を行うと共に、前記コンピュータ装置側において紙媒体コンテンツとして印字出力することを特徴とするチラシ・コンテンツ編集方法。
【請求項２】
紙媒体コンテンツを前提としたレイアウトで、典型的な画像配置が少なくとも定義されているテンプレートの候補を一覧表示し、所望のテンプレートを選択した後に、前記レイアウト編集を行わせると共に、
前記レイアウト編集の際、随時、紙媒体コンテンツを前提としたレイアウトを目視確認するための表示が可能になっていることを特徴とする請求項１に記載のチラシ・コンテンツ編集方法。
【請求項３】
前記レイアウト編集を行う者の会員登録、及び該会員登録の会費支払いの有無を会員データベース装置に記憶しておき、
前記レイアウト編集を行う際のログイン操作時に、該会員データベース装置の情報に基づいてログインの可否を判定すると共に、
会員に対する課金は、前記会費支払いによるものとすることを特徴とする請求項１に記載のチラシ・コンテンツ編集方法。
【請求項４】
画像情報及び文字情報のレイアウトによりコンテンツ編集を行う者の編集用端末を、インターネットを介在させて接続するチラシ・セルフ編集ＡＳＰサーバ装置において、
前記レイアウト編集を行う者の会員登録、及び該会員登録の会費支払いの有無に関する情報を格納する会員データベース装置と、
前記レイアウト編集を行う際のログイン操作時に、該会員データベース装置の情報に基づいてログインの可否を判定すると共に、該会員登録に基づいて会員に対する課金を行うサービス提供管理処理部と、
ログイン後、前記編集用端末への入力操作により、紙媒体コンテンツを前提としたレイアウトで、典型的な画像配置が少なくとも定義されているテンプレートの候補を一覧表示し、所望のテンプレートを選択した後に、随時、紙媒体コンテンツを前提としたレイアウトを目視確認するための表示をしながら、画像情報及び文字情報のレイアウト編集を行い、該レイアウト編集の後、電子的な閲覧提供先に応じたデータ変換処理、及び該閲覧提供先への登録処理を行うと共に、前記編集用端末側において紙媒体コンテンツとして印字出力するための処理を行うＡＳＰ編集処理部と、
を備えたことを特徴とするチラシ・セルフ編集ＡＳＰサーバ装置。
【請求項５】
コンピュータに、請求項１〜３のいずれか１つに記載のチラシ・コンテンツ編集方法、又は、請求項４に記載のチラシ・セルフ編集ＡＳＰサーバ装置を実現するためのコンピュータ・プログラム。
【発明の詳細な説明】
【技術分野】
【０００１】
本発明は、画像情報及び文字情報のレイアウトにより行うチラシ・コンテンツ編集システムに係り、特に、初心者や個人事業主などでも、容易に軽経費で、ウェブ提供情報やパンフレットやチラシを迅速に作成することができるチラシ・コンテンツ編集方法、チラシ・セルフ編集ＡＳＰサーバ装置、及び、コンピュータ・プログラムに関する。
【背景技術】
【０００２】
特許文献１には、予め用意した枡目のクリップアートを一覧表示し、マウスポインタ及びマウスボタンにより選択することで、簡単に地図やチラシなどを作成する図作成装置および図作成方法が記載されている。クリップアートは図形として表示されるので容易に選択可能となり、マウスポインタ及びマウスボタンにより簡単に作成することができる。
【０００３】
複数の店舗を経営する小売り業者は、本社の広告担当部署が商品決定を行い、チラシ制作を行っている。又、各店舗で一部商品の差し替えを行う場合、チラシの入稿差替え指示に従って一部の商品の文字入力を行うものである。特許文献２では、チラシのひな型データをセンターサーバーにアップロードすると共に、店舗の担当者は、掲載商品のキー番号による割付指定ファイルを作成する。この後、チラシ制作会社は、この割付指定ファイルに従って、各ブロックに指示された掲載商品のキー番号から商品データベースを検索してテキストデータ、画像データを流し込むことにより、チラシの編集データを作成する。これにより、小売業者等の店舗数が増えても、店舗ごとの特色を出したチラシを無理なく間違いなく制作することができる。
【０００４】
次に、特許文献３では、パンフレットやチラシの見出し等の、最初の文字の色及び最後の文字の色を設定すると共に、文字列の文字数に基づいて、文字単位で均等に文字の色が変化するように各文字の色を決定する。これにより、初心者にも簡易な操作によりパンフレットやチラシの見出し等に用いる多彩な効果文字の作成をすることができる。
【先行技術文献】
【特許文献】
【０００５】
【特許文献１】特開平８−７７２４２号公報
【特許文献２】特開２００２−７４１６９号公報
【特許文献３】特開２００６−２３７３６号公報
【発明の概要】
【発明が解決しようとする課題】
【０００６】
しかしながら、コンピュータ装置を用いたチラシなどの制作は、画像や文字の大きさやレイアウトの配置設定を含む編集作業を多数行う必要があり、習得に時間や労力を要する。このため、広告会社に委託するのが通例である。
【０００７】
前述の特許文献１は、このような編集作業の能率向上を図るものであり、それでもやはり編集作業に時間や労力が要求される。従って、この特許文献１も、又チラシのひな型データを活用する特許文献２も、チラシ制作は広告会社や専門職に頼ることになる。特許文献３についても、単にパンフレットやチラシの見出し編集を容易にするものであり、チラシ制作を完成させるためには特殊技能が要求される。
【０００８】
更に、ウェブよる提供情報については、自社ホームページ、関連会社ホームページ、ソーシャル・ネットワーク・サービス（ＳＮＳ）など多様になっているが、それぞれについて少なくとも基本的な手順を習得する必要があり、紙媒体のチラシ制作以上に特殊技能が要求される。
【０００９】
又、複雑なチラシやパンフレットについては、コンピュータ装置の利用に関する知識や習熟だけでなく、デザイン的な知識やセンスも要求され、この点で、広告会社や専門職がどうしても制作する必要がある。
【００１０】
例えば、スーパー・マーケットなどの商店では、緊急な仕入れや販売環境の変化、例えば安価な商品や人気商品の突然の仕入れ、天候悪化に伴った急激な客足の減少に従って、顧客に商品やその価格を迅速に提示する場合がある。このような場合に、極簡単な様式のチラシを迅速に作成して配布したり、更にはウェブによる情報提供を迅速に行ったりすることが簡便にできるなら、その効果は非常に大きなものになる。
【００１１】
しかしながら、極簡単な様式のチラシやパンフレット、極簡単な様式のウェブ提供情報で対応するとしても、従来、広告会社や専門職の者に依頼せざるを得なかった。このため、店頭に置ける手描きＰＯＰ（Point  of  purchase advertising）広告が用いられる程度であった。
【００１２】
本発明は、前記従来の問題点を解決するべくなされたもので、初心者や個人事業主などでも、容易に軽経費で、ウェブ提供情報やパンフレットやチラシを迅速に作成することができるチラシ・コンテンツ編集システムを提供することを課題とする。
【課題を解決するための手段】
【００１３】
本発明は、画像情報及び文字情報のレイアウトにより行うチラシ・コンテンツ編集方法において、インターネットを介在させて、チラシ・セルフ編集ＡＳＰサーバ装置に接続するコンピュータ装置への入力操作を行わせ、画像情報及び文字情報のレイアウト編集を行い、該レイアウト編集の後、電子的な閲覧提供先に応じたデータ変換処理、及び閲覧提供登録処理を行うと共に、前記コンピュータ装置側において紙媒体コンテンツとして印字出力することにより、前記課題を解決したものである。
【００１４】
ここで、紙媒体コンテンツを前提としたレイアウトで、典型的な画像配置が少なくとも定義されているテンプレートの候補を一覧表示し、所望のテンプレートを選択した後に、前記レイアウト編集を行わせると共に、前記レイアウト編集の際、随時、紙媒体コンテンツを前提としたレイアウトを目視確認するための表示が可能になっていることにより、標準的なチラシ・コンテンツ編集であれば、初心者でも編集を開始することができ、又編集作業の手間を省くことができる。
【００１５】
更に、前記レイアウト編集を行う者の会員登録、及び該会員登録の会費支払いの有無を会員データベース装置に記憶しておき、前記レイアウト編集を行う際のログイン操作時に、該会員データベース装置の情報に基づいてログインの可否を判定すると共に、会員に対する課金は、前記会費支払いによるものとすることにより、編集作業中の課金計算処理を省くことができ、コンピュータ処理効率を向上することができる。又、例えば月額定額制といった、利用者に魅力的な形態でサービスを提供することができる。
【００１６】
又、本発明のチラシ・セルフ編集ＡＳＰサーバ装置は、画像情報及び文字情報のレイアウトによりコンテンツ編集を行う者の編集用端末を、インターネットを介在させて接続するチラシ・セルフ編集ＡＳＰサーバ装置において、前記レイアウト編集を行う者の会員登録、及び該会員登録の会費支払いの有無に関する情報を格納する会員データベース装置と、前記レイアウト編集を行う際のログイン操作時に、該会員データベース装置の情報に基づいてログインの可否を判定すると共に、該会員登録に基づいて会員に対する課金を行うサービス提供管理処理部と、ログイン後、前記編集用端末への入力操作により、紙媒体コンテンツを前提としたレイアウトで、典型的な画像配置が少なくとも定義されているテンプレートの候補を一覧表示し、所望のテンプレートを選択した後に、随時、紙媒体コンテンツを前提としたレイアウトを目視確認するための表示をしながら、画像情報及び文字情報のレイアウト編集を行い、該レイアウト編集の後、電子的な閲覧提供先に応じたデータ変換処理、及び該閲覧提供先への登録処理を行うと共に、前記編集用端末側において紙媒体コンテンツとして印字出力するための処理を行うＡＳＰ編集処理部と、を備えたことにより、前記課題を解決したものである。
【００１７】
本発明は、又、コンピュータに、前記のチラシ・コンテンツ編集方法、又は、前記のチラシ・セルフ編集ＡＳＰサーバ装置を実現するためのコンピュータ・プログラムを提供するものである。
【発明の効果】
【００１８】
本発明では、画像情報及び文字情報のレイアウトにより行うチラシ・コンテンツ編集を、電子的な閲覧提供先に応じて行うものについても、又、従来からの紙媒体コンテンツの編集を行うものについても、共通の編集方法で行うようにしている。又、インターネットを介在させて、チラシ・セルフ編集ＡＳＰサーバ装置に接続するコンピュータ装置への入力操作を行わせ、画像情報及び文字情報のレイアウト編集を行う。
【００１９】
従って、利用者側は、例えば、汎用のブラウザ・プログラムを備えたコンピュータ装置を用いれば、特別なハードウェアやソフトウェアを必要としないので、初期投資が不要になる。又、特に初心者でも簡単に編集作業ができるソフトウェアや、個々の利用形態に適合させることで操作の簡便化を図ったソフトウェアも、容易に提供することができる。
【００２０】
又、例えば、会員登録の会費支払いの有無でログインの可否判定を行い、会員に対する課金は、この会費支払いによるものとすることができる。この場合、毎月数千円程度の一定低額のサービス提供形態とすることもでき、利用範囲が限られた個人事業主などでも活用し易くなる。
【図面の簡単な説明】
【００２１】
【図１】本発明が適用された実施形態のチラシ・コンテンツ編集システムの全体的な処理を示すブロック図
【図２】前記実施形態の全体的なハードウェア構成を示すブロック図
【図３】前記実施形態のＰＣ装置、チラシ・セルフ編集ＡＳＰサーバ装置、ＡＳＰ閲覧サーバ装置、一般ＨＰサーバ装置、ＳＮＳサーバ装置、ブログ・サーバ装置のハードウェア構成の一例を示すブロック図
【図４】前記実施形態におけるチラシ・セルフ編集ＡＳＰサーバ装置の構成を示すブロック図
【図５】上記チラシ・セルフ編集ＡＳＰサーバ装置が備える会員データベース装置の構成を示すブロック図
【図６】前記実施形態におけるチラシ・セルフ編集ＡＳＰサーバ装置を用いたＡＳＰ会員による編集電子情報の作成及び該編集電子情報に基づく電子情報の閲覧を示すブロック図
【図７】前記実施形態におけるセルフ・チラシ編集ＡＳＰ処理を示すフローチャート
【図８】前記実施形態の編集作業処理を示すフローチャート
【図９】上記編集作業処理における表示画面例を示す線図
【図１０】前記実施形態におけるサイト・パーツ作成処理を示すフローチャート
【図１１】上記サイト・パーツ作成処理において選択するパーツサイズを示す線図
【図１２】前記実施形態におけるセルフ・チラシ閲覧サイト処理を示すフローチャート
【発明を実施するための形態】
【００２２】
以下、図面を参照して本発明の実施形態を詳細に説明する。
【００２３】
図１は、本発明の実施形態のチラシ・コンテンツ編集システムの全体的な処理を示すブロック図である。又、図２は、同実施形態の全体的なハードウェア構成を示すブロック図である。
【００２４】
本実施形態は、画像情報及び文字情報のレイアウトを行うための本発明が適用されたチラシ・コンテンツ編集方法のコンピュータ処理が行われるチラシ・セルフ編集ＡＳＰサーバ装置３１を中心とし、インターネット１を介してアクセスがなされるシステムである。
【００２５】
本実施形態では、インターネット１を介在させて、コンピュータ装置その他の編集用端末をチラシ・セルフ編集ＡＳＰサーバ装置３１に接続する。又、利用者に該編集用端末への入力操作を行わせ、画像情報及び文字情報のレイアウト編集１０を行う。
【００２６】
このレイアウト編集１０は、適宜、チラシやパンフレットに載せられる編集者の販売商品などの元画像情報１１を用いることができる。例えば、個人事業主が既に所持している活版印刷の紙媒体チラシをスキャナで読み取った画像情報や、デジタルカメラで撮影した商品の画像情報などを活用することができる。
【００２７】
具体的には、このような元画像情報１１には、ＴＩＦＦ（Tagged  Image  File  Format）やＪＰＥＧ（Joint  Photographic  Experts  Group）やＧＩＦ（Graphics  Interchange  Format）などの汎用画像ファイルを用いることができる。更には、ＰＤＦ（Portable  Document  Format）や、広く用いられている「ワード」などの文書ファイルや、「エクセル」などの帳票ファイルや、「パワーポイント」などのプレゼンテーションソフトファイルについても、画像やテキストレイアウトの情報として変換して用いることができるようになっている。
【００２８】
このようなレイアウト編集１０によって、電子的なチラシやパンフレットやウェブにおいて提供する情報コンテンツなどの、編集電子情報１３が作成される。編集電子情報１３は、ＨＴＭＬなどの標準的な情報形式のものであってもよい。
【００２９】
ウェブにおいて編集電子情報１３に基づく電子情報を提供する場合、該編集電子情報１３は、要求される情報形式へのデータ変換及びデータ登録処理を経て、図２におけるＡＳＰ閲覧サーバ装置３２、一般ＨＰサーバ装置３３、ＳＮＳサーバ装置３４、ブログ・サーバ装置３５へと登録され、閲覧に供せられる。
【００３０】
ここで、このレイアウト編集１０に用いられる前述の編集用端末には、パーソナル・コンピュータなどのＰＣ装置５Ａ、通話機能に加えてインターネット・アクセス閲覧機能を備えた携帯電話装置５Ｂの内でいわゆるスマートフォンと称する高機能のもの、ＰＤＡ（Personal  Digital  Assistants）などのインターネット・アクセス閲覧機能を備えた無線ＬＡＮ端末装置５Ｃ、インターネットに接続されたＩＰテレビ装置５Ｄなどを用いることができる。
【００３１】
なお、これらＰＣ装置５Ａ、ＩＰテレビ装置５Ｄ、携帯電話装置５Ｂ、無線ＬＡＮ端末装置５Ｃは、このようなレイアウト編集１０に用いることができるだけでなく、編集されたもものを閲覧する者にも用いられる。即ち、該レイアウト編集１０がなされてサーバ装置３２〜３５に登録された、編集電子情報１３に基づくコンテンツを閲覧する者にも用いられる。なお、これらＰＣ装置５Ａ、ＩＰテレビ装置５Ｄ、携帯電話装置５Ｂ、無線ＬＡＮ端末装置５Ｃを、以下端末装置５と総称する。又、端末装置５の内、本発明を適用したコンテンツ編集に用いることができるものを編集用端末と呼ぶ。
【００３２】
上述のＰＣ装置５ＡやＩＰテレビ装置５Ｄは、インターネット１に接続されている。又、ブラウザによるネット閲覧機能を備えた携帯電話装置５Ｂは、携帯電話網２を介してインターネット１に接続されている。種々の無線ＬＡＮ端末装置５Ｃは、無線ＬＡＮルータ装置４を介してインターネット１に接続されている。
【００３３】
更に、編集電子情報１３は紙媒体コンテンツ１４に変換し、街頭や店頭での掲示や配布に用いることができる（オフライン提供）。即ち、本実施形態では、オンライン閲覧提供となるインターネット１を介在させる閲覧に加えて、編集電子情報１３に基づいて、レイアウト編集１０を行う側にあるコンピュータ装置側において、紙媒体コンテンツ１４として印字出力することができる。この紙媒体コンテンツ１４については特に限定されるものではなく、例えば、従来の新聞折込みチラシや街頭配布チラシや店頭ＰＯＰなどであってもよい。
【００３４】
又、編集電子情報１３の編集を行った会員は、編集電子情報１３の紙媒体コンテンツ１８への変換を、インターネット１を介して印刷会社１６に依頼することも可能である。この際、編集電子情報１３の編集を行った会員は、編集電子情報１３の紙媒体コンテンツ１８への変換（印刷出力）の依頼、及びこのための該編集電子情報１３のオンライン・データ送稿の送信を、インターネット１を介して印刷会社１６のサーバ装置３６に対して行うことになる。例えば、紙媒体コンテンツ１８への変換と共に、該紙媒体コンテンツ１８の新聞折込みによる配布などの業務を、印刷会社サーバ装置３６に対して同時に依頼することもできる。この紙媒体コンテンツ１８は、前述の紙媒体コンテンツ１４と同様に街頭や店頭での掲示や配布などに用いることができる。
【００３５】
次に、図３は、本実施形態のＰＣ装置５Ａ、チラシ・セルフ編集ＡＳＰサーバ装置３１、ＡＳＰ閲覧サーバ装置３２、一般ＨＰサーバ装置３３、ＳＮＳサーバ装置３４、ブログ・サーバ装置３５のハードウェア構成の一例を示すブロック図である。
【００３６】
この図３においては、これら各装置に利用可能な、ある種のコンピュータ装置のハードウェア構成が示される。しかしながら、各装置は、このようなものに限定されるものではない。
【００３７】
図３の該コンピュータ装置は、ＯＳは一例として米国マイクロソフト社のＷｉｎｄｏｗｓ（登録商標）を搭載する、一般的なＰＣ（Personal  Computer）装置（携帯電話等のＰＤＡ（Personal  Digital  Assistants）を含む）やサーバ装置であってもよく、特に限定されるものではない。なお、この図において、ハードウェア構成は、説明の関係上一部抽象化されている。
【００３８】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、種々のＩ／Ｆ３２０〜３２２とを有している。これらは、バス３０１によって相互接続されている。
【００３９】
又、バス３０１に対して、Ｉ／Ｆ３２０を介して、画面表示装置３３０が接続されている。又、バス３０３によって相互接続されている、キーボード３３１と、マウス３３２と、プリンタ装置３３３とは、バス３０１に対して、Ｉ／Ｆ３２１を介して接続されている。
【００４０】
更に、バス３０１に対して、Ｉ／Ｆ３２２を介して、ＨＤＤ（Hard  Disc  Drive）装置３４０と、ＣＤ（Compact  Disc）ドライブ装置３４１とが接続されている。これらはバス３０２によって相互接続されている。
【００４１】
以上のようなハードウェア構成において、記憶手段や記憶装置は、ＲＡＭ３１１、ＲＯＭ３１２、ＨＤＤ装置３４０、ＣＤドライブ装置３４１などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標）などのソフトウェア資源を利用する環境を提供するためのプログラム、本実施形態に係るアプリケーション・プログラムやウェブ・ブラウザ・プログラムは、ＨＤＤ装置３４０に格納されていて、実行時には、ＲＡＭ３１１に読み出されてＣＰＵ３１０によって実行される。
【００４２】
なお、ＬＡＮ−Ｉ／Ｆ３１３は、インターネット（又はネットワーク）１に対する接続などに用いられるものであり、ＣＰＵ３１０で実行されるアプリケーション・プログラムには、インターネット１経由で取得される、ＪＡＶＡ（登録商標)のアプレットも含まれる。例えば、チラシ・セルフ編集ＡＳＰサーバ装置３１に対してアクセスしながらなされるレイアウト編集１０の際の、該チラシ・セルフ編集ＡＳＰサーバ装置３１からインターネット１経由でダウンロードされて編集用端末で実行されるアプレット、サーバ装置３２〜３５に対してアクセスしながらなされる端末装置５による閲覧の際の、これらサーバ装置３２〜３５からインターネット１経由でダウンロードされて端末装置５で実行されるアプレットなどである。
【００４３】
又、ＯＳやアプリケーション・プログラムその他の実行に際して、オペレータは、画面表示装置３３０に表示出力される情報を参照しつつ、キーボード３３１によって文字入力や諸操作を行ったり、マウス３３２によって座標入力や諸操作の入力を行ったりする。又、適宜、プリンタ装置３３３からは必要な情報を印字出力したりすることができる。言うまでもなく、これら諸出力や入力は、ＣＰＵ３１０で実行されるプログラムによって、電子的な処理によって行われるものである。
【００４４】
なお、ＣＤドライブ装置３４１は、本願発明を適用して実施する際の、アプリケーション・プログラムのインストールや、その他のオフラインでの情報交換に用いられる。又、ＣＤドライブ装置３４１は、情報交換用の記録媒体としてＣＤ−Ｒ、ＤＶＤ−ＲＡＭ、ＤＶＤ−ＲＯＭ、ＭＯなどを用いる場合は、これ相応の装置のものとすればよい。
【００４５】
図４は、本実施形態におけるチラシ・セルフ編集ＡＳＰサーバ装置３１の構成を示すブロック図である。図５は、該チラシ・セルフ編集ＡＳＰサーバ装置３１が備える会員データベース装置６４の構成を示すブロック図である。
【００４６】
図４に示されるように、このチラシ・セルフ編集ＡＳＰサーバ装置３１は、ＡＳＰ編集処理部６２と、会員データベース装置６４と、共通データベース装置６６と、サービス提供管理処理部６８とを有している。又、図５に示されるように、会員データベース装置６４は、会員登録情報格納部７０と、コンテンツ格納部７２と、編集作業設定情報格納部７４と、作業履歴情報格納部７６とを備える。
【００４７】
まず、会員データベース装置６４の会員登録情報格納部７０には、レイアウト編集を行うＡＳＰ会員５０の会員登録、及び該会員登録の会費支払いの有無に関する情報が格納される。コンテンツ格納部７２には、編集電子情報１３を含め、ＡＳＰ会員５０が編集したコンテンツの情報が格納される。
【００４８】
編集作業設定情報格納部７４には、ＡＳＰ会員５０それぞれのレイアウト編集１０に関する設定情報が格納されている。例えば、レイアウト編集１０の際の、テンプレートの設定、テンプレートへの画像貼り付けや、編集文字のフォントや大きさや色彩などのデフォルト設定が格納されている。又、作業履歴情報格納部７６には、ＡＳＰ会員５０それぞれについて、レイアウト編集１０の際の、例えば、テンプレートの設定、テンプレートへの画像貼り付けや、編集文字のフォントや大きさや色彩などの履歴や入力操作の統計情報が格納されている。なお、編集作業設定情報格納部７４に格納されているＡＳＰ会員５０の設定情報は、作業履歴情報格納部７６に格納されている履歴情報や統計情報に基づいて自動設定するようにしてもよい。
【００４９】
次に、サービス提供管理処理部６８は、レイアウト編集を行う際の、ＡＳＰ会員５０側のＰＣ装置５Ａその他の編集用端末からのログイン操作時に、該会員登録情報格納部７０の会員登録の情報に基づいてログインの可否を判定すると共に、該会員登録に基づいてＡＳＰ会員５０に対する課金を行う。
【００５０】
次に、ＡＳＰ編集処理部６２は、ログイン後、ＡＳＰ会員５０側の編集用端末への入力操作により、前述したレイアウト編集１０の処理を行う。
【００５１】
まず、該ＡＳＰ編集処理部６２は、紙媒体コンテンツを前提としたレイアウトで、典型的な画像配置が少なくとも定義されているテンプレートの候補を、インターネット１を介して編集用端末に一覧表示させる。このテンプレートの情報は、共通データベース装置６６に保存されている。ＡＳＰ会員５０が編集用端末により所望のテンプレートを選択入力すると、ＡＳＰ編集処理部６２は該入力を受け付ける。この後、ＡＳＰ編集処理部６２は、該編集用端末からの入力を受け付け、画像情報及び文字情報のレイアウト編集の処理を行う。
【００５２】
なお、このレイアウト編集の処理の際には、その仕上がり具合の目視確認ために、随時、ＡＳＰ編集処理部６２は編集用端末に対して、紙媒体コンテンツを前提としたレイアウトとして目視確認可能な形態で表示を行うことができる。例えば、紙媒体コンテンツの外縁と共に、編集中のコンテンツを表示することができる。又、このレイアウト編集結果の編集電子情報１３は、随時コンテンツ格納部７２に保存される。
【００５３】
該レイアウト編集の後、ＡＳＰ編集処理部６２は、ＰＣ装置５Ａから、電子的な閲覧提供先となるサーバ装置３２〜３５を指定する入力を受け付け、コンテンツ格納部７２に保存されている編集電子情報１３に対して、該指定入力のサーバ装置３２〜３５に応じたデータ変換処理を行い、該変換結果を指定されたサーバ装置３２〜３５に登録し、インターネット１を介した一般閲覧に供する。
【００５４】
更に、該レイアウト編集の後、ＡＳＰ編集処理部６２は、ＰＣ装置５Ａからの入力に応じ、コンテンツ格納部７２に保存されている編集電子情報１３に対して、紙媒体コンテンツとして印字出力するための処理を行う。例えば、ＡＳＰ編集処理部６２は、ＰＤＦなどの標準的なファイル形式に変換し、編集用端末側に送信する。又、編集用端末は、受信したものを随時紙媒体コンテンツとして印字出力することができる。
【００５５】
又、ＡＳＰ編集処理部６２は、編集電子情報１３の編集を行った会員による操作に従って、編集電子情報１３の紙媒体コンテンツ１８への変換（印刷出力）の依頼、及びこのための該編集電子情報１３のオンライン・データ送稿の送信を、インターネット１を介して印刷会社１６のサーバ装置３６に対して行うことができる。これにより、編集電子情報１３の編集を行った会員は、編集電子情報１３の紙媒体コンテンツ１８への変換を、インターネット１を介して印刷会社１６に依頼することが可能である。又、ＡＳＰ編集処理部６２の処理により、編集電子情報１３の編集を行った会員は、紙媒体コンテンツ１８への変換と共に、該紙媒体コンテンツ１８の新聞折込みによる配布などの業務を、印刷会社１６のサーバ装置３６に対して同時に依頼することもできる。
【００５６】
図６は、本実施形態におけるチラシ・セルフ編集ＡＳＰサーバ装置３１を用いたＡＳＰ会員５０による編集電子情報１３の作成及び該編集電子情報１３に基づく電子情報の閲覧を示すブロック図である。図７は、本実施形態におけるセルフ・チラシ編集ＡＳＰ処理を示すフローチャートである。
【００５７】
まず図６において、チラシ・セルフ編集ＡＳＰサイト５１は、インターネット１においてチラシ・セルフ編集ＡＳＰサーバ装置３１により提供される。インターネット１において、ＡＳＰ閲覧サイト５２はＡＳＰ閲覧サーバ装置３２により、一般ＨＰサイト５３は一般ＨＰサーバ装置３３により、ＳＮＳサイト５４はＳＮＳサーバ装置３４により、ブログ・サイト５５はブログ・サーバ装置３５により提供される。又、紙媒体印字出力５６は、ＡＳＰ会員５０の端末装置５により得ることができる。更に、紙媒体印字出力５８は、ＡＳＰ会員５０の端末装置５からの依頼その他の操作に基づいて、印刷会社サイト５７を提供する印刷会社サーバ装置３６から得ることができる。
【００５８】
次に、図７のフローチャートに基づいて説明すると、ＡＳＰ会員５０となるためには、ステップＳ１１０において、まずチラシ・セルフ編集ＡＳＰサーバ装置３１がインターネット１を介して提供するサイトに接続し、ステップＳ１１２において会員登録を行う。会員登録されると、該登録の際に入力された情報（登録会員データベース装置）は、会員登録情報格納部７０に保存される。
【００５９】
ここで、登録される会員の種別として、本実施形態においては、標準会員、一時利用会員、利用範囲限定会員、公共利用会員などが設定されている。標準会員は、毎月所定の一定利用料金の支払いを行うことでＡＳＰ会員５０となる者である。一時利用会員は、例えば一ヶ月利用といった利用の期間限定の下、無料でＡＳＰ会員５０となる者である。例えばこの一時利用会員として、本実施形態を試用させることも可能である。利用範囲限定会員は、利用を許可される編集などのサービスの種類を、特定の範囲に限定し、無料でＡＳＰ会員５０となる者である。公共利用会員は、学校関係者や町内会の関係者などで、非営利などを根拠として、一定の条件下、無料でＡＳＰ会員５０となる者である。
【００６０】
会員登録されると、ＡＳＰ会員５０として、ステップＳ１１４では、利用者は、チラシ・セルフ編集ＡＳＰサーバ装置３１においてレイアウト編集１０を行うことができる。
【００６１】
又、レイアウト編集１０の後、ステップＳ１３０において、ＡＳＰ編集処理部６２は、ＰＣ装置５Ａから、電子的な閲覧提供先となるサーバ装置３２〜３５を指定する入力を受け付け、コンテンツ格納部７２に保存されている編集電子情報１３に対して、該指定入力のサーバ装置３２〜３５に応じたデータ変換処理を行い、該変換結果を指定されたサーバ装置３２〜３５に登録する。登録することによって、ステップＳ１３２では、インターネット１を介した一般閲覧がなされるようになる。
【００６２】
更に、該レイアウト編集１０の後、ステップＳ１３４では、ＡＳＰ編集処理部６２は、ＰＣ装置５Ａからの入力に応じ、コンテンツ格納部７２に保存されている編集電子情報１３に対して、紙媒体コンテンツとして印字出力するための処理を行う。例えば、ＡＳＰ編集処理部６２は、ＰＤＦなどの標準的なファイル形式の標準文書データに変換し、編集用端末側に送信する。又、編集用端末は、受信したものを随時紙媒体コンテンツとして印字出力することができる。又、このように印字出力されたものは、ステップＳ１３６において、配布するなどして活用することができる。例えば、従来の新聞折込みチラシや街頭配布チラシや店頭ＰＯＰなどとして活用することができる。
【００６３】
ここで、ステップＳ１３４において、ＡＳＰ編集処理部６２は、編集電子情報１３の編集を行った会員による操作に従って、編集電子情報１３の紙媒体コンテンツ１８への変換（印刷出力）の依頼、及びこのための該編集電子情報１３のオンライン・データ送稿の送信を、インターネット１を介して印刷会社１６のサーバ装置３６に対して行うことができる。これにより、編集電子情報１３の編集を行った会員は、編集電子情報１３の紙媒体コンテンツ１８への変換を、インターネット１を介して印刷会社１６に依頼することが可能である。
【００６４】
更に、ステップＳ１３６において、ＡＳＰ編集処理部６２の処理により、編集電子情報１３の編集を行った会員は、紙媒体コンテンツ１８への変換と共に、該紙媒体コンテンツ１８の新聞折込みによる配布などの業務を、印刷会社１６のサーバ装置３６に対して同時に依頼することもできる。
【００６５】
図８は、本実施形態の編集作業処理を示すフローチャートである。図９は、この編集作業処理における表示画面例を示す線図である。
【００６６】
この図８のフローチャートは、図７のフローチャートにおけるステップＳ１１４を詳細に示したものである。
【００６７】
ステップＳ１２０では、ＡＳＰ会員５０は、そのＰＣ装置５Ａその他の編集用端末からのログイン操作を行う。すると、チラシ・セルフ編集ＡＳＰサーバ装置３１のサービス提供管理処理部６８は、該会員登録情報格納部７０の会員登録の情報に基づいてログインの可否を判定する。該判定においてログインが許可されると、その編集用端末は、ＡＳＰ編集処理部６２によるレイアウト編集１０が可能になる。
【００６８】
このレイアウト編集１０では、まず、ステップＳ１２２において、テンプレート選択処理を行う。このテンプレート選択処理において、まず、該ＡＳＰ編集処理部６２は、紙媒体コンテンツを前提としたレイアウトで、典型的な画像配置が少なくとも定義されているテンプレートの候補を、インターネット１を介して編集用端末に一覧表示させる。このテンプレートの情報は、共通データベース装置６６に保存されている。ＡＳＰ会員５０が編集用端末により所望のテンプレートを選択入力すると、ＡＳＰ編集処理部６２は該入力を受け付ける。なお、既に行っている途中のレイアウト編集１０を再開する場合には、このステップＳ１２２は省略されることになる。
【００６９】
この後、ＡＳＰ編集処理部６２は、該編集用端末からの入力を受け付け、選択したテンプレートを元にして、レイアウト編集の処理を行う。例えば、ＡＳＰ編集処理部６２は、ステップＳ１２４において画像情報を貼り付けるレイアウト編集の処理を行い、ステップＳ１２６において文字情報の配置や文字入力のレイアウト編集の処理を行う。このレイアウト編集結果の編集電子情報１３は、随時コンテンツ格納部７２に保存される。
【００７０】
ステップＳ１２８では、このレイアウト編集の処理の際、その仕上がり具合の目視確認のために、随時、ＡＳＰ編集処理部６２は編集用端末に対して、紙媒体コンテンツを前提としたレイアウトとして目視確認可能な形態で表示することができる。
【００７１】
例えば、図９に示す表示画面例では、符号２０１が表示画面の全体であり、符号２０２が編集中電子チラシ表示領域であり、符号２０３が画像選択入力テキスト編集表示領域であり、符号２０４が画像貼付テキスト入力操作領域である。前もって、前述のステップＳ１２４に用いるＡＳＰ会員５０自身が用意した画像、例えば商品の写真や、ロゴマークなどの画像データをチラシ・セルフ編集ＡＳＰサーバ装置３１のコンテンツ格納部７２に登録しておく。
【００７２】
ステップＳ１２４では、このように登録されている画像データやテキストのファイルリストが、符号２０３の画像選択入力テキスト編集表示領域において一覧表示されるので、マウスのクリック操作で選択することができる。ＴＩＦＦやＪＰＥＧやＧＩＦなどの汎用画像ファイルや、ＰＤＦや、「ワード」などの文書ファイルや、「エクセル」などの帳票ファイルや、「パワーポイント」などのプレゼンテーションソフトファイルなどを選択することができる。
【００７３】
又、選択されたものの画像は、図１の元画像情報１１として用いることができ、符号２０４の画像貼付テキスト入力操作領域において、ズーム操作、表示範囲の選択操作をしながら表示することができる。ＰＤＦや、「ワード」などの文書ファイルや、「エクセル」などの帳票ファイルや、「パワーポイント」などのプレゼンテーションソフトファイルなどは、レイアウトの画像イメージとして利用することもでき、その中に含まれる個々のテキストを編集することもできる。この符号２０４の画像貼付テキスト入力操作領域においては、マウスやキーボードを用い、テキストの文字入力や編集を行うことができる。
【００７４】
なお、このステップＳ１２４では、該画像貼付テキスト入力操作領域において、貼付ける部分を切り出し選択して編集中のチラシに貼付けることができるようにしてもよい。
【００７５】
ここで、ステップＳ１２８として前述した仕上がり具合の目視確認は、編集作業中に随時、符号２０２の編集中電子チラシ表示領域における表示により行うことができる。この表示は、紙媒体コンテンツを前提としたレイアウトとして目視確認可能な形態の表示とすることができる。又、この表示は、ＡＳＰ編集処理部６２及び編集用端末の連携処理によって行われるものであり、例えば、ＡＳＰ編集処理部６２において表示に必要な情報を生成し、これをインターネット１を介して編集用端末に送信し、該編集用端末ではインターネット・エクスプローラ（商標）などの汎用ブラウザ・プログラムにより画面表示するものである。
【００７６】
なお、これらステップＳ１２４の画像情報を貼り付けるレイアウト編集の処理（図１の元画像情報１１の貼付け処理）、ステップＳ１２６の文字情報の配置や文字入力のレイアウト編集の処理（図１のレイアウト編集１０の編集処理）、及びステップＳ１２８のレイアウトを目視確認する処理は、この順にこだわらず、レイアウト編集１０において随時行われるものである。
【００７７】
図１０は、本実施形態におけるサイト・パーツ作成処理を示すフローチャートである。図１１は、このサイト・パーツ作成処理において選択するパーツサイズを示す線図である。
【００７８】
この図１０のフローチャートは、図７のフローチャートにおけるステップＳ１３０の電子閲覧設定処理を詳細に示したものである。本サイト・パーツ作成処理は、チラシ・セルフ編集ＡＳＰサーバ装置３１との関連性を問わず、一般的なホームページやブログやツイッターやＳＮＳサービスにおいて、本発明を適用して編集された電子チラシ情報を閲覧するための設定処理である。
【００７９】
ステップＳ１４２では、ＡＳＰ会員５０は、そのＰＣ装置５Ａその他の編集用端末からのログイン操作を行う。すると、チラシ・セルフ編集ＡＳＰサーバ装置３１のサービス提供管理処理部６８は、該会員登録情報格納部７０の会員登録の情報に基づいてログインの可否を判定する。該判定においてログインが許可されると、その編集用端末は、ＡＳＰ編集処理部６２による電子閲覧設定処理が可能になる。
【００８０】
この電子閲覧設定処理では、まず、ステップＳ１４４において、電子閲覧設定処理の種々の設定を行う。例えば、ホームページやブログやツイッターやＳＮＳサービスなど、電子チラシ情報の閲覧の提供に用いられるものの区分などである。このような設定は、標準的なものや、過去に行ったものと同一の場合には省略することができる。
【００８１】
続いて、ステップＳ１４６では、図１１に示されるパーツサイズを選択する。この図１１の貼付けパーツＡ〜Ｃは、電子チラシ情報の閲覧先において貼付ける、電子チラシ表示の領域である。貼付けパーツＡは縦タイプであり、貼付けパーツＢは横タイプであり、貼付けパーツＣは若干縦に長い横タイプである。
【００８２】
なお、これら貼付けパーツＡ、Ｂ及びＣについては、標準的な大きさ（サイズ）が設定されている（初期設定）。しかしながら、編集を行う際に利用者は、そのデザインその他の必要に応じて、幅や高さを個別に、あるいは幅及び高さを一定比率としたまま、拡大したり縮小したりすることができる。
【００８３】
次に、ステップＳ１４８では、電子チラシ情報を実際に閲覧先において貼付ける。これにより、該当するホームページやブログやツイッターやＳＮＳサービスなどを閲覧するものは、貼付けられた電子チラシを閲覧することができる。
【００８４】
図１２は、本実施形態におけるセルフ・チラシ閲覧サイト処理を示すフローチャートである。
【００８５】
この図１２のフローチャートは、図７のフローチャートにおけるステップＳ１３２の電子チラシ閲覧提供処理を詳細に示したものである。セルフ・チラシ閲覧サイト処理は、一般的なホームページやブログやツイッターやＳＮＳサービスの閲覧に伴って行われるものである。例えば、ホームページやブログやツイッターやＳＮＳサービスで閲覧提供されている情報に対して、本発明を適用して作成され、前述のサイト・パーツ作成処理で貼付けられたチラシ・コンテンツは、貼付け先の情報閲覧の際に、共に閲覧することができる。
【００８６】
従って、端末装置５による閲覧の際の処理は、ＡＳＰ閲覧サーバ装置３２、一般ＨＰサーバ装置３３、ＳＮＳサーバ装置３４、ブログ・サーバ装置３５など閲覧対象の情報を提供するサーバ装置と、閲覧する者が用いる端末装置５とによって行われ、又リンクなど必要があればチラシ・セルフ編集ＡＳＰサーバ装置３１でも適宜一部処理が行われることになる。
【００８７】
まず、ステップＳ１６２では、閲覧しようとする者がその閲覧用端末で、該当のＡＳＰ閲覧サーバ装置３２、一般ＨＰサーバ装置３３、ＳＮＳサーバ装置３４、ブログ・サーバ装置３５などにアクセスする。
【００８８】
このアクセスの際に、ステップＳ１６４において、前述のステップＳ１４８で電子チラシ情報が貼付けられたサイトを閲覧すると、該電子チラシ情報を閲覧することができる。
【００８９】
ここで、この閲覧のアクセスが、チラシ・セルフ編集ＡＳＰサーバ装置３１に関連する者が設置するＡＳＰ閲覧サーバ装置３２により行われたり、あるいは、他のサーバ装置に対する閲覧から該ＡＳＰ閲覧サーバ装置３２にリンクして行われたりする場合には、この閲覧の発生や状況をチラシ・セルフ編集ＡＳＰサーバ装置３１に関連する者側で把握（モニタ）することができる。ステップＳ１６６では、このような閲覧アクセスのモニタによって、電子チラシ情報の閲覧の回数などの統計情報を集計する。
【００９０】
以上に説明した本実施形態によれば、個人事業主が既に所持している活版印刷の紙媒体チラシをスキャナで読み取った画像情報や、デジタルカメラで撮影した商品の画像情報などを活用しながら、短いコメント的な文字を配置し、極短時間に簡単に電子チラシも、該電子チラシを印字出力した紙媒体のチラシも容易に作成することができる。例えば、スーパー・マーケットなどの商店では、緊急な仕入れや販売環境の変化、例えば突然仕入れることができた安価な商品のチラシやＰＯＰなども容易に作成することができる。
【符号の説明】
【００９１】
１…インターネット
２…携帯電話網
４…無線ＬＡＮルータ装置
５Ａ…ＰＣ装置
５Ｂ…携帯電話装置
５Ｃ…無線ＬＡＮ端末装置
５Ｄ…ＩＰテレビ装置
１０…レイアウト編集
１１…元画像情報
１３…編集電子情報
１４、１８…紙媒体コンテンツ
１６…印刷会社
３１…チラシ・セルフ編集ＡＳＰサーバ装置
３２…ＡＳＰ閲覧サーバ装置
３３…一般ＨＰサーバ装置
３４…ＳＮＳサーバ装置
３５…ブログ・サーバ装置
３６…印刷会社サーバ装置
５０…ＡＳＰ会員
５１…チラシ・セルフ編集ＡＳＰサイト
５２…ＡＳＰ閲覧サイト
５３…一般ＨＰサイト
５４…ＳＮＳサイト
５５…ブログ・サイト
５６、５８…紙媒体印字出力
５７…印刷会社サイト
６２…ＡＳＰ編集処理部
６４…会員データベース装置
６６…共通データベース装置
６８…サービス提供管理処理部
７０…会員登録情報格納部
７２…コンテンツ格納部
７４…編集作業設定情報格納部
７６…作業履歴情報格納部
【図１】
2013235455.tif 000003
【図２】
2013235455.tif 000004
【図３】
2013235455.tif 000005
【図４】
2013235455.tif 000006
【図５】
2013235455.tif 000007
【図６】
2013235455.tif 000008
【図７】
2013235455.tif 000009
【図８】
2013235455.tif 000010
【図９】
2013235455.tif 000011
【図１０】
2013235455.tif 000012
【図１１】
2013235455.tif 000013
【図１２】
2013235455.tif 000014